(57)【要約】      （修正有）【課題】外装部材が剥離することを低減させ、触り心地を良くし、意匠性を向上させた把手部材及びそれを備えた建築金物又は家具を提供する。【解決手段】把手部材１００は、軸線Ｃ方向に沿って延びる柱状の芯材１２０と、抗菌性、及び、抗ウイルス性を有し、芯材１２０の外面を覆う外装部材１４０と、を備え、建築物に取り付けられる。芯材１２０は、芯材１２０の軸線Ｃ方向における両端に配される一対の端面１２１と、一対の端面１２１と連設される側面１２２と、を有し、芯材１２０の側面１２２を覆う外装部材１４０は、少なくとも一部が、芯材１２０の軸線Ｃ方向からみて、芯材１２０の一端側、かつ、芯材１２０の軸線Ｃ方向に沿った一部の領域を除いた領域、を覆う第一側面外装部材１４３、を備えている。【選択図】図３
0003230141.tif 000002
【実用新案登録請求の範囲】
【請求項１】
軸線方向に沿って延びる柱状の芯材と、抗菌性、又は／及び、抗ウイルス性を有し、前記芯材の外面を覆う外装部材と、を備え、建築物又は家具に取り付けられる把手部材であって、
前記芯材は、前記芯材の軸線方向における両端に配される一対の端面と、前記一対の端面と連設される側面と、を有し、
前記芯材の前記側面を覆う前記外装部材は、
少なくとも一部が、前記芯材の軸線方向からみて、前記芯材の一端側、かつ、前記芯材の軸線方向に沿った一部の領域を除いた領域、を覆う第一側面外装部材、を備えていることを特徴とする把手部材。
【請求項２】
前記第一側面外装部材は、
前記一部以外の部分においても、前記芯材の軸線方向からみて、前記芯材の一端側、かつ、前記芯材の軸線方向に沿った一部の領域を除いた領域、を覆い、前記芯材の軸線方向からみて、前記芯材の軸線を中心とする中心角１８０度以上の領域を覆うことを特徴とする請求項１に記載の把手部材。
【請求項３】
前記芯材が多角柱状に形成され、
前記芯材の軸線方向からみて、前記芯材の一端側に配される一つの前記側面以外の前記側面を、前記第一側面外装部材が覆うことを特徴とする請求項１又は２に記載の把手部材。
【請求項４】
前記芯材の前記第一側面外装部材が覆う部分の、隣接する前記側面の境界部分に対応する部分の曲率半径が、１．０ｍｍから２．０ｍｍであることを特徴とする請求項３に記載の把手部材。
【請求項５】
前記建築物の扉又は前記家具の扉に取り付けられた状態において、
前記芯材の他端側が、前記建築物の扉又は前記家具の扉と対向する側に配されることを特徴とする請求項１、２、３又は４に記載の把手部材。
【請求項６】
前記建築物の扉又は前記家具の扉に取り付けられた状態において、
前記芯材の一端側が、前記建築物の扉又は前記家具の扉と対向する側に配されることを特徴とする請求項１、２、３又は４に記載の把手部材。
【請求項７】
前記第一側面外装部材の一部が、前記芯材の軸線方向からみて、前記芯材の一端側、かつ、前記芯材の軸線方向に沿った一部の領域を除いた領域、を覆う場合であって、
前記建築物又は家具に取り付けられた状態において、前記建築物又は家具と対向する面側に、切り欠かれた切欠部を有することを特徴とする請求項１に記載の把手部材。
【請求項８】
前記外装部材には、装飾が施された装飾部が配設されていることを特徴とする請求項１、２、３、４、５、６又は７に記載の把手部材。
【請求項９】
請求項１、２、３、４、５、６、７又は８に記載の把手部材と、前記把手部材に取り付けられるとともに建築物に取り付け可能な取付部材と、を備えることを特徴とする建築金物。
【請求項１０】
一対の、請求項１、２、３、４、５、６、７又は８に記載の把手部材と、前記把手部材に取り付けられるとともに建築物に取り付け可能な取付部材と、を備え、
一対の、前記請求項１、２、３、４、５、６、７又は８に記載の把手部材は、前記取付部材を挟んで配されるとともに、前記芯材の一端側となる側が前記取付部材と対向するように配されていることを特徴とする建築金物。
【請求項１１】
一対の、前記請求項７に記載の把手部材が用いられ、
前記取付部材には、前記切欠部と対応する形状に切り欠かれた第二切欠部が配設されていることを特徴とする請求項１０に記載の建築金物。
【請求項１２】
請求項１、２、３、４、５、６、７又は８に記載の把手部材が、取り付けられていることを特徴とする家具。
【請求項１３】
請求項１、２、３、４、５、６、７又は８に記載の把手部材と、前記把手部材に取り付けられるとともに家具に取り付けられる取付部材と、を備えることを特徴とする家具。
【考案の詳細な説明】
【技術分野】
【０００１】
本考案は、建築物又は家具に配設される把手部材及びそれを備えた建築金物又は家具に関するものである。
【背景技術】
【０００２】
従来の抗菌性ドアハンドル（把手部材）として、特許文献１に記載されるものがあり、ドアの開閉操作部と、開閉操作部（芯材）に装着された外装体（外装部材）からなる抗菌性ドアハンドルであって、外装体は抗菌性ゼオライトを混入した樹脂材料で形成されていた。
【先行技術文献】
【特許文献】
【０００３】
【特許文献１】実開平０７−１４０３６号公報
【考案の概要】
【考案が解決しようとする課題】
【０００４】
しかし、上記の抗菌性ドアハンドルでは、外装体が、どのように開閉操作部に装着されるかは記載されていない。一般的に、開閉操作部を構成する面に対して、外装体を分割して装着することが行われるが、開閉操作部を構成する面どうしの境界に外装体の継ぎ目が生じ、使用するにつれて剥離する、触り心地が良くない、見た目が良くない、という問題があった。
【０００５】
本考案は、上記事情に鑑み、外装部材が剥離することを低減させ、触り心地を良くし、意匠性を向上させた把手部材及びそれを備えた建築金物又は家具を提供することを目的とする。
【課題を解決するための手段】
【０００６】
請求項１記載の考案では、軸線方向に沿って延びる柱状の芯材と、抗菌性、又は／及び、抗ウイルス性を有し、前記芯材の外面を覆う外装部材と、を備え、建築物又は家具に取り付けられる把手部材であって、
前記芯材は、前記芯材の軸線方向における両端に配される一対の端面と、前記一対の端面と連設される側面と、を有し、
前記芯材の前記側面を覆う前記外装部材は、
少なくとも一部が、前記芯材の軸線方向からみて、前記芯材の一端側、かつ、前記芯材の軸線方向に沿った一部の領域を除いた領域、を覆う第一側面外装部材、を備えている。
【０００７】
これによれば、把手部材に抗菌性、又は／及び、抗ウイルス性、を付与したうえで、少なくとも一部において、第一側面外装部材が芯材を覆う領域を広くできる。つまり、第一側面外装部材の一部材で覆う領域を広くできるため、外装部材が剥離することを低減させ、触り心地を良くし、意匠性を向上させることができる。
【０００８】
また、前記第一側面外装部材は、
前記一部以外の部分においても、前記芯材の軸線方向からみて、前記芯材の一端側、かつ、前記芯材の軸線方向に沿った一部の領域を除いた領域、を覆い、前記芯材の軸線方向からみて、前記芯材の軸線を中心とする中心角１８０度以上の領域を覆う。
【０００９】
これによれば、多角柱状、円柱状等の芯材に好適なものであるといえる。
【００１０】
また、前記芯材が多角柱状に形成され、
前記芯材の軸線方向からみて、前記芯材の一端側に配される一つの前記側面以外の前記側面を、前記第一側面外装部材が覆う。
【００１１】
これによれば、隣接する側面の境界部分を、一つの第一側面外装部材で覆うことが可能となるので、外装部材が剥離することを低減させ、触り心地を良くし、意匠性を向上させることができることに寄与する。
【００１２】
また、前記芯材の前記第一側面外装部材が覆う部分の、隣接する前記側面の境界部分に対応する部分の曲率半径が、１．０ｍｍから２．０ｍｍである。
【００１３】
このような範囲に、隣接する側面の境界部分の曲率半径を設定すれば、手で把持したときに、指が痛くなることを防止できる。
【００１４】
また、前記建築物の扉又は前記家具の扉に取り付けられた状態において、
前記芯材の他端側が、前記建築物の扉又は前記家具の扉と対向する側に配される。
【００１５】
これによれば、建築物の扉又は家具の扉に近い側、換言すれば、人と対向する側とは反対側に、芯材を覆う領域が広い第一側面外装部材が配されることになるため、例えば、手で引っ張って開くタイプの扉において、外装部材が剥離することを低減させ、触り心地を良くし、意匠性を向上させることができる。
【００１６】
また、前記建築物の扉又は前記家具の扉に取り付けられた状態において、
前記芯材の一端側が、前記建築物の扉又は前記家具の扉と対向する側に配される。
【００１７】
これによれば、建築物の扉又は家具の扉から遠ざかる側、換言すれば、人と対向する側に、芯材を覆う領域が広い第一側面外装部材が配されることになるため、例えば、手で押して開くタイプの扉において、外装部材が剥離することを低減させ、触り心地を良くし、意匠性を向上させることができる。
【００１８】
また、前記第一側面外装部材の一部が、前記芯材の軸線方向からみて、前記芯材の一端側、かつ、前記芯材の軸線方向に沿った一部の領域を除いた領域、を覆う場合であって、
前記建築物又は家具に取り付けられた状態において、前記建築物又は家具と対向する面側に、切り欠かれた切欠部を有する。
【００１９】
これによれば、切欠部により、手の掴み具合を調整可能となるので、把手部材の操作性を向上させることができる。
【００２０】
また、前記外装部材には、装飾が施された装飾部が配設されている。
【００２１】
これによれば、装飾部により、把手部材の意匠性を向上させることができる。
【００２２】
請求項９記載の考案では、請求項１、２、３、４、５、６、７又は８に記載の把手部材と、前記把手部材に取り付けられるとともに建築物に取り付け可能な取付部材と、を備える建築金物としている。
【００２３】
請求項１０の考案では、一対の、請求項１、２、３、４、５、６、７又は８に記載の把手部材と、前記把手部材に取り付けられるとともに建築物に取り付け可能な取付部材と、を備え、
一対の、前記請求項１、２、３、４、５、６、７又は８に記載の把手部材は、前記取付部材を挟んで配されるとともに、前記芯材の一端側となる側が前記取付部材と対向するように配されている建築金物としている。
【００２４】
請求項１１の考案では、一対の、前記請求項７に記載の把手部材が用いられ、
前記取付部材には、前記切欠部と対応する形状に切り欠かれた第二切欠部が配設されている建築金物としている。
【００２５】
請求項１２の考案では、請求項１、２、３、４、５、６、７又は８に記載の把手部材が、取り付けられている家具としている。
【００２６】
請求項１３の考案では、請求項１、２、３、４、５、６、７又は８に記載の把手部材と、前記把手部材に取り付けられるとともに家具に取り付けられる取付部材と、を備える家具としている。
【図面の簡単な説明】
【００２７】
【図１】本考案の第一実施形態の把手部材が取り付けられた扉の側面図である。
【図２】同実施形態の扉の正面図である。
【図３】同実施形態の扉の平面図である。
【図４】本考案の第二実施形態の把手部材が取り付けられた扉の側面図である。
【図５】同実施形態の扉の正面図である。
【図６】同実施形態の扉の平面図である。
【図７】本考案の第三実施形態の把手部材が取り付けられた扉の側面図である。
【図８】同実施形態の扉の正面図である。
【図９】同実施形態の扉の平面図である。
【図１０】取付部材の（ａ）は側面図、（ｂ）は正面図、（ｃ）は背面図、（ｄ）は平面図である。
【図１１】本考案の第三実施形態の把手部材が取り付けられた扉の側面図である。
【図１２】同実施形態の扉の正面図である。
【図１３】同実施形態の扉の平面図である。
【図１４】取付部材の（ａ）は側面図、（ｂ）は正面図、（ｃ）は背面図、（ｄ）は平面図である。
【図１５】本考案の第四実施形態の把手部材が取り付けられた扉の側面図である。
【図１６】同実施形態の扉の正面図である。
【図１７】同実施形態の扉の平面図である。
【図１８】図１７の部分断面図である。
【図１９】補強パイプの（ａ）は側面図、（ｂ）は正面図、（ｃ）は平面図である。
【図２０】家具としての椅子に適用した場合の斜視図である。
【図２１】本考案の建築金物を手摺として適用した場合の斜視図である。
【考案を実施するための形態】
【００２８】
本考案の第一実施形態について図面に基づいて説明する。以下の説明において、各図面に記載される矢印の、Ｆを前、Ｂを後ろ、Ｒを右、Ｌを左、Ｕを上、Ｄを下、とする。
【００２９】
本実施形態では、把手部材を、建築物の扉１０に取り付ける場合を説明する。扉１０は、矩形平板状に形成され、図１、３に示すように、前後方向に貫通した貫通孔１０ａが配設され、把手部材１００を取り付け可能とされている。本実施形態では、扉１０は、手で押して開くタイプである。
【００３０】
把手部材１００（区別するときは、把手部材１００Ａ、把手部材１００Ｂとする）は、図１〜３に示すように、芯材１２０と、外装部材１４０と、を備える。本実施形態では、把手部材１００は、縦１０００ｍｍ、横２０ｍｍ、奥行５０ｍｍに設定されている。
【００３１】
芯材１２０（区別するときは芯材１２０Ａ、芯材１２０Ｂとする）は、耐水ＭＤＦ（中密度繊維板）合板で形成され、図１〜３に示すように、断面形状が前後方向に長い四角柱状とされ、芯材１２０の軸線Ｃ方向における両端に配される一対の端面１２１と、一対の端面１２１と連設される側面１２２と、を有している。
【００３２】
芯材１２０Ａは、側面１２２の、扉１０と対向する面（後面）から、扉１０から遠ざかる側の面（前面）に向かう断面長円柱状の有底孔１２３を有し、有底孔１２３の底面から、さらに扉１０から遠ざかる側の面に向かう有底のねじ孔１２４が形成されている。さらに、芯材１２０Ａの外面から有底孔１２３に向かって貫通する横ねじ孔１２５がそれぞれ形成されている。
【００３３】
芯材１２０Ｂは、側面１２２の、扉１０と対向する面（前面）から、扉１０から遠ざかる側に面（後面）に向かう有底のねじ孔１２６が形成されている。
【００３４】
外装部材１４０は、抗菌性、及び、抗ウイルス性、を有したメラミン化粧板が適用されている。メラミン化粧板は、紙に熱硬化性樹脂、メラミン樹脂、フェノール樹脂を含浸させ、高温高圧で成形したものである。
【００３５】
外装部材１４０には、図１〜３に示すように、木目装飾が施された装飾部１４１が配設されている。
【００３６】
本実施形態では、外装部材１４０は、図１〜３に示すように、一対の端面１２１を覆う端面外装部材１４２と、側面１２２を覆う、第一側面外装部材１４３と、第二側面外装部材１４４とを有している。
【００３７】
第一側面外装部材１４３は、芯材１２０の軸線Ｃ方向からみて、芯材１２０の一端側、かつ、芯材１２０の軸線Ｃ方向に沿った一部の領域を除いた領域、を覆っている。本実施形態では、第一側面外装部材１４３は、把手部材１００Ａでは、前、右、左に位置する側面１２２を、把手部材１００Ｂでは、後、右、左に位置する側面１２２を、覆っている。
【００３８】
そして、第一側面外装部材１４３が、芯材１２０を覆った状態において、芯材１２０の第一側面外装部材１４３が覆う部分の、隣接する側面１２２の境界部分に対応する部分Ｘの曲率半径が、１．５ｍｍとされている。
【００３９】
第二側面外装部材１４４は、第一側面外装部材１４３が覆う領域以外の領域、を覆っている。本実施形態では、芯材１２０の扉１０と対向する面を覆っている。把手部材１００Ａでは、後に位置する側面１２２を、把手部材１００Ｂでは、前に位置する側面１２２を、覆っている。
【００４０】
本実施形態では、外装部材１４０は、ポストフォーム加工により、芯材１２０に貼着されている。なお、ポストフォーム加工は、芯材１２０に接着剤を塗布して、外装部材１４０に熱・圧力をかけ、芯材１２０の形状に合わせて成形するものである。
【００４１】
以上のことより、芯材１２０が四角柱状に形成され、芯材１２０の軸線Ｃ方向からみて、芯材１２０の一端側に配される一つの側面１２２（芯材１２０の扉１０と対向する面）以外の側面１２２を、第一側面外装部材１４３が覆っている。換言すれば、第一側面外装部材１４３は、芯材１２０の軸線Ｃ方向からみて、芯材の軸線Ｃを中心とする中心角１８０度以上の領域を覆うことになる。
【００４２】
また、把手部材１００は、建築物の扉１０に取り付けられた状態において、芯材１２０の他端側（芯材１２０Ａでは前側、芯材１２０Ｂでは後側）が、建築物の扉１０と対向する側とは反対側に配されていることになる。
【００４３】
芯材１２０Ａのねじ孔１２４、芯材１２０Ｂのねじ孔１２６には、鬼目ナット３０がそれぞれ嵌め込まれている。そして、有底孔１２３に補強用足金具３２が嵌め込まれ、ねじ３４を、断面コの字状の補強用足金具３２を挿通させ、鬼目ナット３０と螺合されている。
【００４４】
さらに、有底孔１２３内にねじ３６を頭部側から進入させ、ばね座金３８を介してコマ４０内にねじ３６を挿通させ、さらに、横子ねじ４２を、横ねじ孔１２５、補強用足金具３２に挿通させて、コマ４０を係止させることで、把手部材１００Ａは、扉１０の、前面１０ｂに取り付けられ、ねじ３６と芯材１２０Ｂ側の鬼目ナット３０とを螺合することで、把手部材１００Ｂは、後面１０ｃに取り付けられている。
【００４５】
上記構成の把手部材１００では、軸線Ｃ方向に沿って延びる柱状の芯材１２０と、抗菌性、及び、抗ウイルス性を有し、芯材１２０の外面を覆う外装部材１４０と、を備え、建築物に取り付けられる把手部材であって、
芯材１２０は、芯材１２０の軸線Ｃ方向における両端に配される一対の端面１２１と、一対の端面１２１と連設される側面１２２と、を有し、
芯材１２０の側面１２２を覆う外装部材１４０は、
少なくとも一部が、芯材１２０の軸線Ｃ方向からみて、芯材１２０の一端側、かつ、芯材１２０の軸線Ｃ方向に沿った一部の領域を除いた領域、を覆う第一側面外装部材１４３、を備えている。
【００４６】
これによれば、把手部材１００に、抗菌性、及び、抗ウイルス性、を付与したうえで、少なくとも一部において、第一側面外装部材１４３が芯材１２０を覆う領域を広くできる。つまり、第一側面外装部材１４３の一部材で覆う領域を広くできるため、外装部材１４０が剥離することを低減させ、触り心地を良くし、意匠性を向上させることができる。
【００４７】
また、第一側面外装部材１４３は、
一部以外の部分においても、芯材１２０の軸線Ｃ方向からみて、芯材１２０の一端側、かつ、芯材１２０の軸線Ｃ方向に沿った一部の領域を除いた領域、を覆い、１２０芯材の軸線Ｃ方向からみて、芯材１２０の軸線Ｃを中心とする中心角１８０度以上の領域を覆う。
【００４８】
これによれば、四角柱状の芯材１２０に好適なものであるといえる。
【００４９】
また、芯材１２０が四角柱状に形成され、
芯材１２０の軸線Ｃ方向からみて、芯材１２０の一端側に配される一つの側面１２２以外の側面１２２を、第一側面外装部材１４３が覆う。
【００５０】
これによれば、隣接する側面１２２の境界部分を、一つの第一側面外装部材１４３で覆うことが可能となるので、外装部材１４０が剥離することを低減させ、触り心地を良くし、意匠性を向上させることができることに寄与する。
【００５１】
また、芯材１２０の第一側面外装部材１４３が覆う部分の、隣接する側面１２２の境界部分に対応する部分Ｘの曲率半径が、１．５ｍｍである。
【００５２】
このような数値に、隣接する側面１２２の境界部分の曲率半径を設定すれば、手で把持したときに、指が痛くなることを防止できる。
【００５３】
また、建築物の扉１０に取り付けられた状態において、
芯材１２０の一端側が、建築物の扉１０と対向する側に配される。
【００５４】
これによれば、建築物の扉１０から遠ざかる側、換言すれば、人と対向する側に、芯材１２０を覆う領域が広い第一側面外装部材１４３が配されることになるため、手で押して開くタイプの扉１０において、外装部材１４０が剥離することを低減させ、触り心地を良くし、意匠性を向上させることができる。
【００５５】
また、１４０外装部材には、装飾が施された装飾部１４１が配設されている。
【００５６】
これによれば、装飾部１４１により、把手部材１００の意匠性を向上させることができる。
【００５７】
本考案の第二実施形態について図面に基づいて説明する。第一実施形態と同様の構成については、特に言及しない限り、百の位の数字のみを異ならせた番号を付し、全部又は一部の説明を省略する。
【００５８】
本実施形態では、把手部材２００と、取付部材２６０と、を備える建築金物５０が、手で引っ張って開くタイプの扉１０に取り付けられる建築金物５０（区別するときは、建築金物５０Ａ、建築金物５０Ｂとする）の場合を説明する。
【００５９】
建築金物５０は、図４〜６に示すように、把手部材２００と、把手部材２００に取り付けられるとともに建築物の扉１０に取り付け可能な取付部材２６０と、を備えている。
【００６０】
本実施形態では、芯材２２０、外装部材２４０は、芯材１２０、外装部材１４０と材質は同一で、芯材２２０は、断面が略正方形状の四角柱で、外装部材２４０もそれに対応する形状となっている。また、把手部材２００は、縦１０００ｍｍ、横２５．６ｍｍ、奥行３０ｍｍに設定されている。
【００６１】
また、芯材２２０Ａ、芯材２２０Ｂともに、芯材１２０Ｂのねじ孔１２６と同様のねじ孔２２６が形成されている。
【００６２】
第一側面外装部材２４３は、芯材２２０の軸線Ｃ方向からみて、芯材２２０の一端側、かつ、芯材２２０の軸線Ｃ方向に沿った一部の領域を除いた領域、を覆っている。本実施形態では、第一側面外装部材２４３は、把手部材２００Ａでは、後、右、左に位置する側面２２２を、把手部材２００Ｂでは、前、右、左に位置する側面２２２を、覆っている。
【００６３】
そして、第一側面外装部材２４３が、芯材１２０を覆った状態において、芯材２２０の第一側面外装部材２４３が覆う部分の、隣接する側面２２２の境界部分に対応する部分Ｘの曲率半径が、１．５ｍｍとされている。
【００６４】
本実施形態では、芯材２２０の他端側が、建築物の扉１０と対向する側とは反対側に配されている。
【００６５】
取付部材２６０（区別するときは、取付部材２６０Ａ、取付部材２６０Ｂとする）は、アルミニウム合金製で、四角柱状に形成されている。
【００６６】
取付部材２６０Ａ、取付部材２６０Ｂには、扉１０と対向する面（取付部材２６０Ａでは後面、取付部材２６０Ｂでは前面）から、扉１０から遠ざかる側の面（取付部材２６０Ａでは前面、取付部材２６０Ｂでは後面）に向かう断面円形状、かつ、段付きの貫通底孔として形成された二つの第一取付孔２６１が配設されている。
【００６７】
取付部材２６０Ａには、二つの第一取付孔２６１の間に配設され、扉１０に対向する面（後面）から、扉１０から遠ざかる側に面（前面）に向かう断面円形状の第二取付孔２６２が配設されている。さらに、芯材２２０Ａの外面から第二取付孔２６２に向かって貫通する横ねじ孔２６３がそれぞれ形成されている。
【００６８】
取付部材２６０Ｂには、扉１０に対向する面（前面）から、扉１０から遠ざかる側に面（後面）に向かう断面円形状の第二ねじ孔２６４が配設されている。
【００６９】
ねじ孔２２６には、鬼目ナット３０がそれぞれ嵌め込まれている。そして、第一取付孔２６１にねじ３４を進入させ、ばね座金４４を介して、鬼目ナット３０と螺合させることで、把手部材２００Ａに取付部材２６０Ａが、把手部材２００Ｂに取付部材２６０Ｂが、取り付けられる。
【００７０】
第二取付孔２６２内にねじ３６を頭部側から進入させ、ばね座金３８を介してコマ４０内にねじ３６を挿通させ、さらに、横子ねじ４２を、横ねじ孔２６３に挿通させて、コマ４０を係止させることで、把手部材２００Ａは、扉１０の前面１０ｂに取り付けられ、ねじ３６と芯材２２０Ｂの第二ねじ孔２６４とを螺合することで、把手部材２００Ｂは、扉１０の後面１０ｃに取り付けられている。
【００７１】
このような構成によっても、外装部材２４０が剥離することを低減させ、触り心地を良くし、意匠性を向上させることができる。
【００７２】
また、建築物の扉１０に取り付けられた状態において、芯材２２０の他端側が、建築物の扉１０と対向する側に配される。
【００７３】
これによれば、建築物の扉１０に近い側、換言すれば、人と対向する側とは反対側に、芯材２２０を覆う領域が広い第一側面外装部材２４３が配されることになるため、手で引っ張って開くタイプの扉１０において、外装部材２４０が剥離することを低減させ、触り心地を良くし、意匠性を向上させることができる。
【００７４】
本考案の第三実施形態について図面に基づいて説明する。第一実施形態、第二実施形態と同様の構成については、百の位の数字のみを異ならせた番号を付し、全部又は一部の説明を省略する。
【００７５】
本実施形態では、図７〜１０に示すように、一対の把手部材３００（区別するときは、把手部材３００Ｃと把手部材３００Ｄ、把手部材３００Ｅと把手部材３００Ｆ）と、取付部材３７０（区別するときは、取付部材３７０Ａ、取付部材３７０Ｂとする）と、を備える建築金物６０（区別するときは、建築金物６０Ａ、建築金物６０Ｂとする）が扉１０に取り付けられる場合を説明する。
【００７６】
把手部材３００は、左右方向に短く、前後方向に長い、四角柱状に形成されている。本実施形態では、把手部材１００は、縦１０００ｍｍ、横１０ｍｍ、奥行５５ｍｍに設定されている。
【００７７】
芯材３２０は、芯材１２０と材質は同一で、取付部材３７０と対向する面（芯材３２０Ｃ、芯材３２０Ｅでは左面、芯材３２０Ｄ、芯材３２０Ｆでは右面）側、かつ、扉１０と対向する側（芯材３２０Ｃ、芯材３２０Ｄでは後側、芯材３２０Ｅ、芯材３２０Ｆでは前側）、において矩形平板状に切り欠かれた切欠凹部３２７が、上部、中央部、下部の三か所に配設されている。
【００７８】
芯材３２０Ｃ、芯材３２０Ｄには、切欠凹部３２７から扉１０から遠ざかる側の面に向かって貫通する横ねじ孔３２８が形成されている。
【００７９】
本実施形態では、取付部材３７０は、ステンレス製で、図７〜１０に示すように、左右方向に短く、前後方向に長い、四角柱状に形成されている。
【００８０】
取付部材３７０Ａには、切欠凹部３２７に対応する位置に、上部、中央部、下部の三か所に切り欠きが設けられ、当該切り欠き部分に、断面コの字状に形成された補助用足金具３７１が、開口部分を扉側にむけて、上部、中央部、下部の三か所に配設されている。補助用足金具３７１の左右の面には、左右方向において貫通する貫通孔３７２が二つずつ配設されている。
【００８１】
また、取付部材３７０Ａに、補助用足金具３７１が取り付けられた状態で、補助用足金具３７１から、取付部材３７０Ａの補助用足金具３７１とは反対側に向かうねじ孔３７３が形成されている。
【００８２】
取付部材３７０Ｂには、切欠凹部３２７に対応する位置に、上部、中央部、下部の三か所に切り欠きが設けられ、当該切り欠き部分に、直方体状に形成された補助用足金具３７４が、上部、中央部、下部の取付片と対応する位置に三か所に配設されている。
【００８３】
補助用足金具３７４の扉１０と対向する面には、補助用足金具３７４の扉１０から遠ざかる面に向かうねじ孔３７５が形成されている。
【００８４】
取付部材３７０には、左右方向において貫通する、位置決め用の貫通孔３７６が複数配設されている。
【００８５】
取付部材３７０に配設される貫通孔３７６と、把手部材３００の、貫通孔３７６に対応する位置に配設される、取付部材３７０と対向する面から、取付部材３７０から遠ざかる面に向かって形成された図示しない有底孔と、に図示しないダボ等のピン部材を配する、既存の方法で位置決めして、取付部材３７０と、把手部材３００とが接合される。
【００８６】
ねじ３４を、ねじ孔３７３に進入させて、螺合させ、切欠凹部３２７内に配される補助用足金具３７１内に、ねじ３６を頭部側から進入させ、ばね座金３８を介してコマ４０内にねじ３６を挿通させ、さらに、横子ねじ４２を、横ねじ孔３２８、貫通孔３７２に挿通させて、コマ４０を係止させることで、建築金物６０Ａは、扉１０の、前面１０ｂに取り付けられ、ねじ３６と補助用足金具３７４のねじ孔３７５とを螺合して、建築金物６０Ｂは、後面１０ｃに取り付けられている。
【００８７】
本実施形態では、第一側面外装部材３４３は、把手部材３００Ｃ、把手部材３００Ｅでは、前、後、右に位置する側面３２２を、把手部材３００Ｄ、把手部材３００Ｆでは、前、後、左に位置する側面３２２を、覆っている。
【００８８】
そして、第一側面外装部材３４３が、芯材３２０を覆った状態において、芯材３２０の第一側面外装部材３４３が覆う部分の、隣接する側面３２２の境界部分に対応する部分Ｘの曲率半径が、１．５ｍｍとされている。
【００８９】
以上のことより、一対の、把手部材３００Ｃと把手部材３００Ｄ、把手部材３００Ｅと把手部材３００Ｆ、とそれに取り付けられるとともに建築物の扉１０に取り付け可能な取付部材３７０Ａ、取付部材３７０Ｂと、を備え、一対の把手部材３００Ｃと把手部材３００Ｄは、取付部材３７０Ａを、一対の把手部材３００Ｅと把手部材３００Ｆは、取付部材３７０Ｂを、挟んで配されるとともに、第二側面外装部材３４４が配される、芯材３２０の一端側となる側が取付部材３７０と対向するように配されていることになる。
【００９０】
このような構成によっても、外装部材３４０が剥離することを低減させ、触り心地を良くし、意匠性を向上させることができる。
【００９１】
本考案の第四実施形態について図面に基づいて説明する。第三実施形態と同様の構成については、百の位の数字のみを異ならせた番号を付し、全部又は一部の説明を省略する。
【００９２】
建築金物７０（区別するときは、建築金物７０Ａ、建築金物７０Ｂとする）は、図１１〜１４に示すように、建築金物６０と同様に、一対の把手部材４００（区別するときは、把手部材４００Ｃと把手部材４００Ｄ、把手部材４００Ｅと把手部材４００Ｆ）と、取付部材４７０（区別するときは、取付部材４７０Ａ、取付部材４７０Ｂとする）と、を備える。
【００９３】
本実施形態では、把手部材４００は、縦６５０ｍｍ、横１０ｍｍ、奥行６３ｍｍに設定され、切欠凹部４２７、補助用足金具４７１、補助用足金具４７４の数が、切欠凹部３２７、補助用足金具３７１、補助用足金具３７４とは異なり、二つとなっている。
【００９４】
建築金物７０では、芯材４２０、取付部材４７０に、建築物の扉１０と対向する面側に、台形柱状に切り欠かれた切欠部４２９、第二切欠部としての切欠部４７７を有している。切欠部４２９と、切欠部４７７は、略同一形状に切り欠かれ、一対の把手部材４００と、取付部材４７０とが組み合され、建築金物７０が、扉１０に取り付けられた状態において、扉１０との間に手が進入可能な隙間が生じるように設定されている。
【００９５】
切欠部４２９の、扉１０と対向する面には、第三側面外装部材４４５が取り付けられている。
【００９６】
本実施形態では、一部が、芯材４２０の軸線Ｃ方向からみて、芯材４２０の一端側、かつ、芯材４２０の軸線Ｃ方向に沿った一部の領域を除いた領域、を覆う第一側面外装部材４４３、を備えていることになる。
【００９７】
また、一対の、把手部材４００が用いられ、
取付部材４７０には、切欠部４２９と対応する形状に切り欠かれた第二切欠部としての切欠部４７７が配設されているといえる。
【００９８】
第三実施形態の建築金物６０と同様な方法で、把手部材４００と取付部材４７０、取付部材４７０と扉１０、に取り付けられている。
【００９９】
このような構成によっても、外装部材４４０が剥離することを低減させ、触り心地を良くし、意匠性を向上させることができる。
【０１００】
上記建築金物７０では、第一側面外装部材４４３の一部が、芯材４２０の軸線Ｃ方向からみて、芯材４２０の一端側、かつ、芯材４２０の軸線Ｃ方向に沿った一部の領域を除いた領域、を覆う場合であって、
建築物の扉１０に取り付けられた状態において、建築物の扉１０と対向する面側に、切り欠かれた切欠部４２９、切欠部４７７を有する。
【０１０１】
これによれば、切欠部４２９、切欠部４７７により、手の掴み具合を調整可能となるので、把手部材４００の操作性を向上させることができる。
【０１０２】
本考案の第五実施形態について図面に基づいて説明する。第二実施形態と同様の構成については、百の位の数字のみを異ならせた番号を付し、全部又は一部の説明を省略する。
【０１０３】
建築金物８０（区別するときは、建築金物８０Ａ、建築金物８０Ｂとする）では、図１５〜１８に示すように、把手部材５００は、縦２０００ｍｍ、横７０ｍｍ、奥行２５ｍｍに設定されている。
【０１０４】
本実施形態では、芯材５２０は、扉１０と対向する面から、扉１０から遠ざかる面に向かうとともに、長手方向に沿って形成される断面矩形状の凹部として形成された有底凹部５２９を有している。有底凹部５２９の底面からさらに扉１０から遠ざかる面に向かう、有底のねじ孔５３０が六か所形成されている。ねじ孔５３０には、鬼目ナット３０が嵌め込まれている。
【０１０５】
本実施形態では、外装部材５４０は、芯材５２０の有底凹部５２９以外の領域を覆っている。第一側面外装部材５４３は、把手部材５００Ａでは、前、右、左、後の一部に位置する側面５２２を、把手部材５００Ｂでは、後、右、左、前の一部に位置する側面５２２を、覆っている。換言すれば、外装部材５４０は、第二側面外装部材に相当する部材が無い構成とされている。
【０１０６】
そして、第一側面外装部材５４３が、芯材５２０を覆った状態において、芯材２２０の第一側面外装部材５４３が覆う部分の、隣接する側面５２２の境界部分に対応する部分Ｘの曲率半径が、１．５ｍｍとされている。
【０１０７】
有底凹部５２９には、補強パイプ５９０が配される。本実施形態では、把手部材５００の上下方向の長さが２０００ｍｍと長いので、補強パイプ５９０により、強度を補強している。
【０１０８】
補強パイプ５９０は、ステンレス製で、両端が閉塞した扁平な角パイプで形成されている。補強パイプ５９０には、前後方向において貫通する貫通孔５９１が六か所配設されている。貫通孔５９１は、芯材５２０に取付部材５８０を取り付け可能とするものである。
【０１０９】
取付部材５８０は、アルミニウム合金製で、四角柱状に形成されている。
【０１１０】
取付部材５８０Ａには、扉１０に対向する面（後面）から、扉１０から遠ざかる側に面（前面）に向かう断面長円形状、かつ、段付きの貫通底孔として形成された第一取付孔５８１が二つ配設されている。さらに、取付部材５８０Ａの外面から第一取付孔５８１に向かって貫通する横ねじ孔５８２がそれぞれ形成されている。
【０１１１】
取付部材５８０Ａには、第一取付孔５８１の間に、扉１０と対向する面（後面）から、扉１０から遠ざかる側の面（前面）に向かう断面円形状、かつ、段付きの貫通底孔として形成された第二取付孔５８３が配設されている。
【０１１２】
取付部材５８０Ｂには、第二取付孔５８３が一つ配設されている。
【０１１３】
取付部材５８０Ｂには、扉１０に対向する面（前面）から、扉１０から遠ざかる側に面（後面）に向かう断面円形状、かつ、段付きの貫通底孔として形成された第三ねじ孔５８４が二か所配設されている。第三ねじ孔５８４には、継手部材４６が嵌め込まれている。
【０１１４】
建築金物８０は、第三ねじ孔５８４に配される継手部材４６を介して、把手部材５００に取付部材５８０が取り付けられる以外は、第二実施形態と同様の方法で、扉１０に取り付けられている。
【０１１５】
このような構成によっても、外装部材５４０が剥離することを低減させ、触り心地を良くし、意匠性を向上させることができる。
【０１１６】
また、家具としての椅子７００の手摺として用いる場合には、図２０に示すように、第二実施形態の把手部材２００を用いて、把手部材２００の長手方向における端部において、既存の方法で椅子７００の手摺７１０と連結することが考えられる。
【０１１７】
また、介護用の手摺、階段の手摺等に適用する場合には、図２１に示すように、壁８００に取り付けられる取付部材２６０と、把手部材２００と、を備える建築金物５０を適用することができる。
【０１１８】
本考案のドアハンドル２０は上記構成に限定されるものではない。即ち、本考案の要旨を逸脱しない限り各種の設計変更等が可能である。以下に、変形した態様を例示する。
本考案の把手部材及びそれを備えた建築金物又は家具は上記構成に限定されるものではない。即ち、本考案の要旨を逸脱しない限り各種の組み合わせ、設計変更等が可能である。
【０１１９】
例えば、本発明の把手部材、建築金物は、手で把持できて同様の作用効果を奏するものであれば、建築物の壁面、建築物に付属する設備、家具の壁面陳列用ケース等の家具の扉、制御ボックス等の設備の扉、等、に適用することができる。
【０１２０】
また、本発明の把手部材、建築金物は、開き戸、折戸、引き戸等に適用可能である。
【０１２１】
また、芯材は、中空な部材を用いることができ、さらに、外形形状が、三角、五角柱状等の多角柱状、楕円、長円柱形状、オーバル柱状、その他の形状に適宜変形させて形成することができる。また、芯材に対応させて外装部材の形状を形成することもできる。
【０１２２】
また、把手部材と取付部材、把手部材と扉等の取付物、取付部材と扉等の取付物、との取り付け態様は、適宜変更することができる。
【０１２３】
また、外装部材は、抗菌性、及び、抗ウイルス性、を有したメラミン化粧板が適用されていたが、抗菌性、又は、抗ウイルス性、を有するメラミン化粧板を適用することができる。
【０１２４】
また、抗菌性、又は／及び、抗ウイルス性、を有する他の部材を適用することができる。
【０１２５】
また、芯材の第一側面外装部材が覆う部分の、隣接する側面の境界部分に対応する部分の曲率半径は、使用態様に応じて、１．０ｍｍから２．０ｍｍの範囲で適宜設定することができる。
【０１２６】
また、把手部材を、取付部材を介さずに、建築物又は家具に取り付けられた場合において、把手部材の、建築物又は家具と対向する面側に、切り欠かれた切欠部を設けることも可能である。
【符号の説明】
【０１２７】
１０  扉
５０  建築金物
６０  建築金物
７０  建築金物
８０  建築金物
１００  把手部材
１００Ａ  把手部材
１００Ｂ  把手部材
１２０  芯材
１２０Ａ  芯材
１２０Ｂ  芯材
１２１  端面
１２２  側面
１４０  外装部材
１４１  装飾部
１４３  第一側面外装部材
２００  把手部材
２００Ａ  把手部材
２００Ｂ  把手部材
２２０  芯材
２２０Ａ  芯材
２２０Ｂ  芯材
２２１  端面
２２２  側面
２４０  外装部材
２４１  装飾部
２４３  第一側面外装部材
２６０  取付部材
３００  把手部材
３００Ｃ  把手部材
３００Ｄ  把手部材
３００Ｅ  把手部材
３００Ｆ  把手部材
３２０  芯材
３２０Ｃ  芯材
３２０Ｄ  芯材
３２０Ｅ  芯材
３２０Ｆ  芯材
３２１  端面
３２２  側面
３４０  外装部材
３４１  装飾部
３４３  第一側面外装部材
３７０  取付部材
４００  把手部材
４００Ｃ  把手部材
４００Ｄ  把手部材
４００Ｅ  把手部材
４００Ｆ  把手部材
４２０  芯材
４２０Ｃ  芯材
４２０Ｄ  芯材
４２０Ｅ  芯材
４２０Ｆ  芯材
４２１  端面
４２２  側面
４４０  外装部材
４４１  装飾部
４４３  第一側面外装部材
５００  把手部材
５００Ａ  把手部材
５００Ｂ  把手部材
５２０  芯材
５２０Ａ  芯材
５２０Ｂ  芯材
５２１  端面
５２２  側面
５４０  外装部材
５４１  装飾部
５４３  第一側面外装部材
５８０  取付部材
Ｃ  軸線
Ｘ  境界部分に対応する部分
【図１】
0003230141.tif 000003
【図２】
0003230141.tif 000004
【図３】
0003230141.tif 000005
【図４】
0003230141.tif 000006
【図５】
0003230141.tif 000007
【図６】
0003230141.tif 000008
【図７】
0003230141.tif 000009
【図８】
0003230141.tif 000010
【図９】
0003230141.tif 000011
【図１０】
0003230141.tif 000012
【図１１】
0003230141.tif 000013
【図１２】
0003230141.tif 000014
【図１３】
0003230141.tif 000015
【図１４】
0003230141.tif 000016
【図１５】
0003230141.tif 000017
【図１６】
0003230141.tif 000018
【図１７】
0003230141.tif 000019
【図１８】
0003230141.tif 000020
【図１９】
0003230141.tif 000021
【図２０】
0003230141.tif 000022
【図２１】
0003230141.tif 000023